【事件の表示】
　特許第３２４０２２２号「感光材料搬送方法及び装置」の請求項１ないし４に係る特許に対する特許異議の申立てについて、次のとおり決定する。
【結　論】
　特許第３２４０２２２号の請求項１ないし４に係る特許を取り消す。
【理　由】
１．手続の経緯
　本件特許第３２４０２２２号の請求項１〜４に係る発明についての出願は、平成５年９月１３日に出願され、平成１３年１０月１２日にその発明について特許権の設定登録がなされ、その後、中森繁雄、コニカ株式会社より特許異議の申立てがなされ、取消しの理由が通知され、その指定期間内である平成１４年１１月５日に特許異議意見書が提出された後、再度取消しの理由が通知され、その指定期間内である平成１５年２月１０日に特許異議意見書が提出されたものである。
　
２．特許異議の申立ての概要
　
（１）異議申立人中森繁雄は、下記の甲第１号証を提出し、請求項１〜３に係る発明の特許は、甲第１号証より、特許法第２９条第２項の規定に違反してなされたものであるから取り消すべき旨、
甲第１号証：実願平３−３２０６２号（実開平４−１２６２４２号）のマイクロフィルム
（特許異議申立書に記載された甲第１号証は、実態的に実願平３−３２０６２号（実開平４−１２６２４２号）のマイクロフィルムであるため、このように認定した。）
　
（２）異議申立人コニカ株式会社は、下記の甲第１、２号証を提出し、請求項１〜４に係る発明の特許は、甲第１、２号証より、特許法第２９条第２項の規定に違反してなされたものであるから取り消すべき旨、それぞれ、主張している。
甲第１号証：特開昭６４−８１９３７号公報
甲第２号証：特開平５−４３１０２号公報
　
３．請求項１乃至４に係る発明
　本件特許３２４０２２２号の請求項１〜４に係る発明（以下、「本件発明１」、「本件発明２」、「本件発明３」、「本件発明４」という。）は、それぞれ、特許請求の範囲の請求項１〜４に記載された事項によって特定される次のとおりのものである。
　
本件発明１
「【請求項１】　マガジンに収納された長尺の感光材料を引き出し、指定されたサイズに応じて切断して、露光位置へ搬送し露光するための感光材料搬送方法であって、前記マガジンから引き出された感光材料の後端近傍を検出した時点で、指定されたサイズと前記感光材料の使用可能な残りの長さとに基づいて、露光を継続するか否かを選択し、露光の継続が選択された場合は前記露光を１回行った後にマガジンを交換し、露光の中止が選択された場合は未露光状態でマガジンを交換することを特徴とする感光材料搬送方法。」
　
本件発明２
「【請求項２】　前記露光の中止が選択された場合に、前記引き出された感光材料を切断した後にマガジンを交換することを特徴とする請求項１記載の感光材料搬送方法。」
　
本件発明３
「【請求項３】　前記露光の中止が選択された場合に、前記引き出された感光材料ごとマガジンを交換することを特徴とする請求項１記載の感光材料搬送方法。」
　
本件発明４
「【請求項４】　マガジンに収納された長尺の感光材料を引き出し、指定されたサイズに応じて切断して、露光位置へ搬送し露光するための感光材料搬送装置であって、マガジンから引き出された直後の位置で予め感光材料に設けられた後端マークを検出する後端マーク検出センサと、前記後端マーク検出センサから所定長さだけ下流側に配設され前記感光材料を切断するカッタと、前記カッタから所定長さだけ下流側に配設され引き出された感光材料の有無を検出する感光材料先端検出センサと、前記感光材料先端検出センサで前記感光材料の先端が検出されてからの搬送長を計測する搬送長計測手段と、下記（イ）、（ロ）、（ハ）の何れかの指示を告知手段により指示する制御手段と、を有する感光材料搬送装置。
（イ）　前記後端マーク検出センサで感光材料に設けられた後端マークを検出した時点で、前記感光材料先端検出センサによって感光材料を検出していない場合には、引き出された感光材料ごと、或いは残りの感光材料を全て引き出して露光位置へ搬送した後、前記マガジンの交換を指示する。
（ロ）　前記後端マーク検出センサで感光材料に設けられた後端マークを検出した時点で、前記感光材料先端検出センサによって感光材料を検出しており、かつ前記後端検出センサから前記感光材料の先端までの長さが指定されたサイズに対応する長さより長い場合には、前記指定された長さで感光材料を切断して１回露光した後、前記マガジンの交換を指示する。
（ハ）　前記後端マーク検出センサで感光材料に設けられた後端マークを検出した時点で、前記先端検出センサによって感光材料を検出しており、かつ前記後端検出センサから前記感光材料の先端までの長さが指定されたサイズに対応する長さより短い場合には、感光材料後端を検出した時点で感光材料を切断し、露光位置へ搬送した後、前記マガジンの交換を指示する。」
　
４．引用刊行物
　
（１）本件発明１〜４に対して、当審が平成１４年１２月２日付けで通知した取消理由で引用した刊行物１［異議申立人コニカ株式会社が提出した甲第１号証〔特開昭６４−８１９３７号公報〕］には、次のような記載がある。
　
（１ａ）「ロール状感光材料は、例えばサイズを操作パネル上でＢ２判にセットした場合、材料幅５７０ｍｍのロール状感光材料はその先端から８５０ｍｍの位置で切断され、５７０ｍｍ×８５０ｍｍの感光材料が撮影台上に載置されることになる。このようにして所望サイズをセットして行くと、ロール状感光材料（以下ロール感材Ｒと称する）の残量も少なくなり、遂には該ロール感材Ｒの後端を検知することになる。従来、ロール感材Ｒの後端を検知した後は、該ロール感材Ｒの最終切断先端から前記後端までの材料長を知り得なかったため、
（ａ）ロール感材Ｒの搬送を停止して収納マガジン側から該ロール感材Ｒの残量を抜き取る（ロール感材Ｒの最終残量が短く、マガジン側より引き出し可能な場合）。
（ｂ）ロール感材Ｒが複数の搬送ローラに挟持されていてマガジン側から引き出せないときは、強制的に自動現像装置側へ搬送させ、各処理槽を経由させた後機外に排出させる。
（ｃ）ロール感材Ｒが複数の搬送ローラに挟持されていてマガジン側から引き出せないときは、強制的に撮影台まで搬送させ、本体側板を取り外して該撮影台上からロール感材Ｒを取り除く。
等の方法によって一律にロール感材Ｒの残量を装置本体から取り除いていた。」（第２頁左上欄第３行〜右上欄第８行）
　
（１ｂ）「又、上記のような一律除去方法とは別にロール感材Ｒの後端よりやや内側にニアエンドマークを施す方法がある。これはニアエンドマークを検知手段によって検知し、ロール感材Ｒ後端までの残り長さを算出し、算出した残量を表示したり、この残量が指定必要寸法に不足していれば警告又は表示等によりオペレーターに知らせる方法である。」（第２頁右上欄第９〜１６行）
　
（１ｃ）「上記ロール感材Ｒは、収納マガジン７から搬送ローラ対１０ａによって引き出され、この搬送ローラ対１０ａに連動回転するエンコーダ８によってその材料長が計測され、メイン制御部よりの指令で搬送を停止した後、カッタ１１により切断されてシート状とされたる。この後、撮影台１２上に搬送されて所定位置に静止する。この状態において、原稿部（不図示）からの光像は、ミラー１、カラーフィルタ２、レンズ４、絞り５、シャッタ６から成る光学系を通過して撮影台１２上に静止するシート状感光材料Ｓ上に結像し潜像を形成する。」（第３頁右上欄第５〜１５行）
　
（１ｄ）「次に感光材料搬送過程を第１図および第２図に基づいて手順に従って説明する。
（１）検査に使用する原稿（原版）を原稿台上の所定位置にセットし、該原稿のサイズにあった感光材料サイズ選択ボタンを押す。そうすることにより原稿サイズに合ったサイズが設定され操作パネル上の数値表示部に設定長が表示される。
（２）操作パネル１４の感光材料セットボタン１４ｃをＯＮにすると、給紙用モータＭ１が回転を開始し、搬送ローラ対１０ａが駆動回転して挟持するロール感材Ｒを収納マガジン７から引き出し、搬送ローラ用モータＭ３に接続する搬送ローラ対１０ｂにより搬送され、更にベルト搬送用モータＭ４により回動される搬送ベルト１５および上ローラによって搬送され、所定の設定長さに至ると一旦停止して、カッタ用モータＭ２よって駆動されるカッタ１１によりロール感材Ｒは所定サイズにカットされる。ロール感材Ｒの材料長の測定制御はエンコーダ８及びメイン制御部１６によって行われる。エンコーダ８は、給紙モータＭ１に連動回転し、従って搬送ローラ対１０ａに同期回転することになり、該エンコーダ８のパルスカウントは前記搬送ローラ対１０ａの円周長を、そしてそれはロール感材Ｒの材料長を表すことになる。
（３）カットされたシート状感光材料Ｓは再びモータＭ４により回動する搬送ベルト１５により搬送され、停止長カウント開始スイッチ１７及び停止長エンコーダ１８等により停止位置を検知した後、搬送ベルト１５の送行が停止され、静止状態となる。
　第３図は ロール感材Ｒの後端検知時における感光材料搬送装置内各手段の作動のタイムチャートである。
　上記感光材料搬送過程中、操作パネル１４において設定した設定長さに到達する以前にロール感材Ｒの後端に達する。ロール感材Ｒの後端が後端検知センサ９のアクチュエータ部を通過するとアクチュエータが解放され、該センサ９がＯＮになる。ただちに給紙用モータＭ１と搬送ローラ用モータＭ３が停止する。ロール感材Ｒの後端検知状態であることが操作パネル上に表示され、点滅警告灯やブザー等で警告する。シート状感光材料Ｓが撮影台所定位置に静止した後、エンコーダ８によってパルスカウントされた切断先端からカッタ１１までの材料長とカッタ１１から後端検知センサ９までの材料長（一定）とがプラスされた材料実長が操作パネル１４の表示部１４ｂに表示される。」（第３頁右下欄第９行〜第４頁右上欄第１４行）
　
（１ｅ）「ロール感材Ｒは、その後端Ｅが後端検知センサ９によって検知されると、給紙モータＭ１と搬送ローラ用モータＭ３とが停止するので、上記後端Ｅが後端検知センサ９を通過した直後に搬送が停止される。この状態において、該ロール感光材料Ｒの後端Ｅ付近は第４ａ図か又は第４ｂ図に示したいずれかに含まれる。
　第４ａ図は、殆ど操作パネル１４上で設定した設定材料長に近い長さまでロール感光材料Ｒが搬送された段階で後端Ｅが検知され停止した場合である。この場合は、切断先端Ｆからカッタ刃位置Ｃまでの長さは設定材料長ｌ３（決定注：表記された「設定材料長ｌ３」は誤記と認める。以下、同じ。）に不足するもののカッタ刃位置Ｃから後端Ｅまで長さｄを加えると材料実長ｌ１＋ｄが設定材料長ｌ３を越えるのでそのまま露光操作を続行できる。この場合、材料実長は予め設定した設定材料長を越えるので、表示部には該設定材料長が数値表示され、原稿の変更等を行わずに操作継続可能であることを示す。
　第４ｂ図は、ロール感材Ｒの搬送途中で後端Ｅを検知して停止した場合である。この場合は切断先端Ｆからカッタ刃位置Ｃまでの長さｌ１にカッタ刃位置Ｃから後端Ｅまでの長さｄを加えた長さｌ１＋ｄが設定材料長ｌ３に不足する。この場合オペレータが後端検知の警告に基づき感材が撮影位置に静止した後、操作パネル１４上の数値表示部の設定長さ量（この場合、最終処理長）をチェックする。この場合、残っているロール感材Ｒの材料実長ｌ１＋ｄが表示部１４ｂに数値表示される。オペレータは表示された上記材料実長ｌ１＋ｄの数値に基づき原稿を小サイズの原稿に差し替える等の操作を行う。
【発明の効果】
　本発明により、ロール感材Ｒの後端を検知して検知時に残っている材料実長を表示できるようにしたので、該材料実長に対応させて原稿を差し替える等の操作が可能となり、ロール感材のロスを未然に防止することが可能な自動写真焼付装置のロール状感光材料後端検出装置が提供できることとなった。」（第４頁左下欄第２行〜右下欄下から第２行）
　
　これらの記載事項及び図面の記載からみて、刊行物１には、以下の発明が記載されているものと認める（以下、「引用発明１」という。）。
　
「収納マガジンに収納されたロール状感光材料を引き出し、設定材料長に応じて切断して、撮影台へ搬送し露光するための感光材料搬送方法であって、
　前記収納マガジンから引き出されたロール状感光材料の後端Ｅを検知した時点で、設定材料長ｌ３と
切断先端Ｆからカッタ刃位置Ｃまでの長さｌ
１
にカッタ刃位置Ｃから後端Ｅまでの長さｄを加えた長さｌ
１
＋ｄ
　残り長さＬが設定材料長より長い場合、露光操作をそのまま続行し、
　残り長さＬが設定材料長より短い場合、小サイズの原稿に差し替えることを特徴とする感光材料搬送方法。」
　
（２）同刊行物２〔異議申立人中森繁雄が提出した甲第１号証（実願平３−３２０６２号（実開平４−１２６２４２号）のマイクロフィルム）〕には、次のような記載がある。
　
（２ａ）「【０００１】【産業上の利用分野】本考案は写真焼付装置における長巻印画紙の後端部において所定長さのものは確実に使用し、所定長さ以下のものは確実に使用しないようにして該印画紙の収率を高くし、しかも障害なく焼付できるようにする技術に関する。
【０００２】【従来の技術】従来の135タイプネガより長巻のカラー印画紙にプリントをする写真焼付装置においては、該長巻印画紙の後端端末部は最終巻径に近い巻径をセンサーで検出したり、計尺カッター位置からかなり離れた位置にセンサーを置いて印画紙後端部をセンサーで検出して、印画紙の送り出しを終了させ、新しい長巻印画紙スクロールを装填し直して再起動させている。
【０００３】【考案が解決しようとする課題】このような印画紙スクロールの端末部の検出手段では、正常にまだ充分に使用可能の何枚分かの高価な印画紙が必然的に空しく廃棄されてしまうことになる。」（第３頁第２〜１７行）
　
（２ｂ）「【０００８】巻芯12に巻かれた印画紙13のスクロール13ａはマガジン11に収納され該印画紙13はその先端部を引出口14から各搬送ローラ対22，23に挟持されて繰出され、所要サイズの長さが送られて、カッター21によって各設定サイズの計尺長に切断される。」（第４頁第１３〜第１７行）
　
（２ｃ）「【００１１】また、印画紙引出口14の部分又はその近傍に印画紙後端部を検知するセンサー15が設けられていて、該センサー15とカッター21との距離は前記印画紙計尺長の最小長さａ（最小サイズの長さ）より僅か長めのＸにとってある。」（第５頁段落番号００１１）
　
（２ｄ）「【００１５】また、印画紙スクロール13ａの後端部が巻芯12からほどかれて引出口14近傍に設けた後端エッジ検出手段としてのセンサー15のところを通過し該センサー15に検出されるとカッター21が作動しないようにしたまま搬送されるようにしてある。
【００１６】そのとき最後尾の印画紙サイズは最小サイズの長さａよりは長くそれ以外の任意のサイズよりほぼ短くなっている。したがって、その最後尾の印画紙サイズは搬送路の途中で送り不足となって該搬送路に停滞閉塞をしてしまうことはなくなる。この途中での閉塞を起すと以後装填し直した印画紙の通過を不能にしジャム現象を起させてしまうようになる。
【００１７】また、最小サイズａより最後尾の印画紙は小サイズにはならないのだから最小サイズに合わせたプリント焼付を行うときは常に正常なプリントが得られている。但し、最後尾の印画紙の長さは計尺長さａに＋αがつなげられた長さになっているので、それは回収後余分の部分を適当に切り落してやればよい。
【００１８】次に最小サイズａより大きいサイズの場合について述べる。この場合には最後尾の印画紙の長さａ＋αであるがαの大きさは０＜α＜ａの関係にあり、所要サイズより短くなることがある。したがってこれに対応する露光は与えず、そのまま現像部へ送り、現像は行うが、像は得られないので顧客にわたることはない。この場合対応するネガは露光位置にストップさせたまま次の新しい印画紙スクロールを装填したときの先頭部の計尺印画紙に焼付露光させて対処するようにしてある。」（第５頁段落番号００１５〜第６頁段落番号００１８）
　
（３）同刊行物３〔異議申立人コニカ株式会社が提出した甲第２号証（特開平５−４３１０２号公報）〕には、次のような記載がある。
　
（３ａ）「【００１２】感光材料１はマガジン２から引き出され、図１の右方から左方に搬送されるものとする。感光材料１の搬送経路に沿って、エンドマーク３の有無を検出するためのセンサ４、搬送ローラ５、カッタ６（決定注：表記された「カッタ６」は「カッター６」の誤記と認められる。以下、同じ。）、搬送ローラ７、８、更に感光材料１の一定サイズ分Ｗが有るか否かを検出するためのセンサ９が設けられている。なお、エンドマーク３は感光材料１に形成された開口であり、センサ４、５として光学的センサが適用されているが、これらに限定されるものではない。通常の待機状態にあっては、感光材料１の先端はセンサ４から距離Ｕだけ離れたホームポジションＨに位置決めされている。そして、画像形成を行う際は、ユーザーによって感光材料１のサイズが指定されるか、或いは自動読み取りによりサイズが指定されるので、待機位置Ｕを起点としてマガジン２から必要長さ分の感光材料１を引き出すことになる。
【００１３】次に、図２を参照しながら、感光材料１の引き出し動作を説明する。ステップＳ１に示すように、画像形成の要求（スタート）があると、感光材料１のサイズ算出が行われ、ステップＳ２に示すように必要分について感光材料１の引き出しが行われる。この時点でセンサ４によりエンドマーク３が検出されない場合は、ステップＳ４に示すように必要サイズの引き出し完了になり、カッタ６により感光材料１のカットが行われる。そして、マガジン側の感光材料１はマガジン２に巻戻されるのであるが、巻戻しの距離はカッター６とホームポジションＨまでの間であり、図中に示した距離Ａが巻戻し距離である。これに対し、カッター６により切り離された感光材料１は、図１の左方に搬送され、この感光材料１について次のステップＳ５に示すように通常の画像形成が行われる。また、ステップＳ４において何らかのトラブルにより必要サイズの感光材料１が引き出されなかった場合は、ステップＳ４に戻って同一動作が繰り返される。」（第３頁段落番号００１２〜００１３）
　
（３ｂ）「【００１４】一方、ステップＳ３において、センサ４によりエンドマーク３が検出された場合は、下記のような２つの動作が行われる。その第１は、感光材料１を一定長さＷ分引き出すまでにエンドマーク３が検出された場合の動作であり、これを例示すると図１（ｂ）のように供給開始からエンド検出までの長さＸが一定長さＷに満たない状態である。その第２は一定長さＷ分以上引き出した段階でエンドマーク３が検出された場合の動作であり、この状態は図１（ｃ）に例示されている。そして、第１及び第２の動作の判別は、図２に示すステップＳ１１において行われる。第１の動作の場合はステップＳ１２、Ｓ１３に示す動作が行われ、第２の動作の場合はステップＳ１４の動作が行われるのであるが、その内容を図１の（ａ）〜（ｃ）を参照して詳細に説明する。
【００１５】ここで図中の英文字符号について説明すると、Ｗは感光材料１を引き出す際のホームポジションＨからの一定長さ、Ｕは感光材料１のホームポジション（停止位置の先端）とセンサ４との距離、Ｖはエンドマーク３以降の残りの長さ、Ａは戻し長さ、Ｘは供給開始からエンド検出までの長さを示すものであり、Ｘ以外は一定量である。そして第１の場合、即ち（ｂ）の状態ではＸ＜Ｗになり、この場合はステップＳ１２に示すように感光材料１の残量を全て引き出し、マガジン２から感光材料１が出ないようにする。従って、感光材料１の有無は一目で判るようになり、これを誤装填するようなことはない。感光材料１を全て引き出してから、ステップＳ１３に示すようにエンド表示を行う。
【００１６】第２の場合、即ち（ｃ）の状態ではＸ＞Ｗになり、この場合は長さＡ分を巻戻してからカッタ６により感光材料１を切断する。この結果、エンドマーク３はセンサ４の位置からマガジン２側に戻るが、マガジン２内に入り込むことはなく、マガジン２外からエンドマーク３を目視し得るようになる。従って、感光材料１の残量の有無が容易に判別できることになり、誤装填を防止できる。この動作は図２に示すステップ１４の動作に相当し、次にステップＳ１３に示すようにエンド表示を行う。なお、ステップＳ１４の場合であっても、画像形成に必要なサイズが採れる場合は、カットした感光材料１について通常の画像形成が行われるる。」（第３頁段落００１４〜第４頁００１６）
　
（３ｃ）「【００１７】次に、図３参照して上記制御を行うための回路構成の一例を説明する。制御回路１１には、センサ４、５の検出信号や、入力回路１２から入力信号が供給される。入力信号は、画像形成に必要なサイズ等を指定する信号であり、ユーザーにより手動で入力されることもあれば、自動読み取りにより入力されることもある。記憶回路１３には、図１について説明したＷ、Ｕ、Ｖ、Ａ等のデータが格納され、データＸは入力信号として供給される。記憶回路１３に格納されたデータは、画像形成を行う際に制御回路１１により必要に応じて読みだされる。駆動回路１４は、ローラ５、７、８の正回転、即ち感光材料１を引き出す回転と、回転停止、更にＡ分を巻戻す回転等を行うものであり、回転制御信号は制御回路１１から供給される。また、特に図示していないが、カッタ６を駆動するための駆動回路等も設けられる。表示手段１５（決定注：表記された「表示回路１５」は誤記と認める。）はエンド表示を行うものであり、表示信号は制御回路１１から供給される。」（第４頁段落００１７）
　
（３ｄ）「【００２１】・・・感材マガジン２から引き出されて所定長さに切断された感光材料１は、露光部１６へ搬送されるようになっている。・・・感光材料１への露光は、光源２８と第１移動ミラー２２Ａを移動させながら第２移動ミラー２２Ｂを所定のスピードで追従移動し、光源２８からの光を原稿に沿って照射し、その反射光をミラー２２Ａ，２２Ｂ，２３、結像レンズユニット１９を用いて露光部１６に位置する感光材料１へ結像し走査露光する。」（第４頁段落００２１〜００２２）
　
　これらの記載事項（３ａ）〜（３ｄ）及び図面の記載からみて、刊行物３には、以下の発明が記載されているものと認める（以下、「引用発明３」という。）。
　
「マガジン２に収納された感光材料１を引き出し、必要サイズに応じて切断して、露光部１６へ搬送し露光するための感光材料搬送装置であって、マガジン２から引き出された直後の位置で予め感光材料１に設けられたエンドマーク３を検出するセンサ４と、前記センサ４から所定長さだけ下流側に配設され前記感光材料１を切断するカッター６と、前記カッター６から所定長さだけ下流側に配設され、感光材料１の一定サイズ分が有るか否かを検出するセンサ９と、下記（イ）、（ロ）、（ハ）の何れかの表示を表示手段１５により表示する制御回路１１と、を有する感光材料搬送装置。
（イ）前記センサ４で感光材料１に設けられたエンドマーク３を検出した時点で、前記センサ９によって感光材料１を検出していない場合には、残りの感光材料１を全て引き出してから、エンド表示を行う。
（ロ）前記センサ４で感光材料１に設けられたエンドマーク３を検出した時点で、前記センサ９によって感光材料１を検出した場合には、感光材料を切断し、エンド表示を行うが、画像形成に必要なサイズが採れる場合には露光を行う。
（ハ）前記センサ４で感光材料１に設けられたエンドマーク３を検出した時点で、前記センサ９によって感光材料１を検出した場合には、感光材料を切断し、エンド表示を行うが、画像形成に必要なサイズが採れない場合には画像形成を行わない。」
　
５．対比・判断
　
（１）本件発明１について
　
（ａ）本件発明１と引用発明１とを対比すると、引用発明１における「収納マガジン」、「ロール状感光材料」、「設定材料長」、「撮影台」、「検知」、「残り長さＬ」、「露光操作」、「続行」は、それぞれ本件発明１の「マガジン」、「長尺の感光材料」、「指定されたサイズ」、「露光位置」、「検出」、「感光材料の使用可能な残り長さ」、「露光」、「継続」に相当する。
　また、刊行物１の記載事項（１ｅ）（特に、「この場合は、切断先端Ｆからカッタ刃位置Ｃまでの長さは設定材料長ｌ３に不足するもののカッタ刃位置Ｃから後端Ｅまで長さｄを加えると材料実長ｌ１＋ｄが設定材料長ｌ３を越えるのでそのまま露光操作を続行できる。・・・この場合は切断先端Ｆからカッタ刃位置Ｃまでの長さｌ１にカッタ刃位置Ｃから後端Ｅまでの長さｄを加えた長さｌ１＋ｄが設定材料長ｌ３に不足する。・・・オペレータは表示された上記材料実長ｌ１＋ｄの数値に基づき原稿を小サイズの原稿に差し替える等の操作を行う。」の部分参照。）からみて、引用発明１は、設定材料長と残り長さＬとに基づいて、露光操作を続行するか否かを選択しているものであるとともに、残り長さＬを考慮すると２回以上の露光操作は不可能であることから、当然に１回しか露光を行わないものと認められる。
　
　したがって、両者は、「マガジンに収納された長尺の感光材料を引き出し、指定されたサイズに応じて切断して、露光位置へ搬送し露光するための感光材料搬送方法であって、
　前記マガジンから引き出された感光材料の所定位置を検出した時点で、指定されたサイズと前記感光材料の使用可能な残り長さとに基づいて、露光を継続するか否かを選択し、露光の継続が選択された場合は前記露光を１回行う」点で一致しており、以下の点で相違している。
　
（ａ−１）相違点１
　露光を継続するか否かを判断する時点として、本件発明１では、感光材料の後端近傍を検出した時点とするのに対して、引用発明１においては、後端を検出している点。
　
（ａ−２）相違点２
　露光の継続が選択され、前記露光を１回行った後、本件発明１では、マガジンを交換するのに対して、引用発明１においては、マガジンの交換については言及していない点。
　
（ａ−３）相違点３
　本件発明１が、露光の継続が選択されない場合は、露光の中止が選択され、未露光状態でマガジンを交換するのに対し、引用発明１では、露光の継続が選択されない場合は、小サイズの原稿に差し替える点。
　
（ｂ）上記相違点について、以下に検討する。
　
（ｂ−１）相違点１について
　刊行物１の記載事項（１ｂ）（「ロール感材Ｒ（本件発明１の「長尺の感光材料」に相当する）の後端よりやや内側にニアエンドマークを施す方法がある。これはニアエンドマークを検知手段によって検知（本件発明１の「検出」に相当する。）し、ロール感材Ｒ後端までの残り長さを算出し、算出した残量を表示したり、この残量が指定必要寸法に不足していれば警告又は表示等によりオペレーターに知らせる方法である。」）からみて、感光材料の後端近傍を検出することが記載されていると認められ、周知の技術事項である。
　このような周知の技術事項を引用発明１に適用することが技術的に困難であるとも認められず、また、当該適用によって格別の効果を奏するものでもない。
　
（ｂ−２）相違点２について
　刊行物１の記載事項（１ａ）（特に、「従来、ロール感材Ｒ（本件発明１の「長尺の感光材料」に相当する。）の後端を検知した後は、該ロール感材Ｒの最終切断先端から前記後端までの材料長を知り得なかったため、（ａ）ロール感材Ｒの搬送を停止して収納マガジン（本件発明１の「マガジン」に相当する。）側から該ロール感材Ｒの残量を抜き取る（ロール感材Ｒの最終残量が短く、マガジン側より引き出し可能な場合）。」の部分参照。）及び刊行物２の記載事項（２ａ）（特に、「印画紙（本件発明１の「感光材料」に相当する。）後端部をセンサーで検出して、印画紙の送り出しを終了させ、新しい長巻印画紙スクロール（本件発明１の「長尺の感光材料」に相当する。）を装填し直して再起動させている。・・・このような印画紙スクロールの端末部の検出手段では、正常にまだ充分に使用可能の何枚分かの高価な印画紙が必然的に空しく廃棄されてしまうことになる。」の部分参照。）にあるように、感光材料の使用可能な残り長さが所定値以下となった場合に当該感光材料を交換することは当然のことであり、当該感光材料がマガジンに収納されているものであれば、マガジンも交換することは当業者にとって自明である。
　よって、引用発明１において、露光の継続が選択され、前記露光を１回行った後、マガジンを交換することは、当業者であれば必要に応じて適宜なしえる事項である。
　
（ｂ−３）相違点３について
　刊行物２の記載事項（２ｄ）（特に、「印画紙スクロール13ａ（本件発明１の「長尺の感光材料」に相当する。）の後端部が巻芯12からほどかれて引出口14近傍に設けた後端エッジ検出手段としてのセンサー15のところを通過し該センサー15に検出されるとカッター21が作動しないようにしたまま搬送されるようにしてある。」及び「最小サイズａより大きいサイズ（本件発明１の「指定されたサイズ」に相当する。）の場合について述べる。この場合には最後尾の印画紙の長さ（本件発明１の「感光材料の使用可能な残り長さ」に相当する。）ａ＋αであるがαの大きさは０＜α＜ａの関係にあり、所要サイズより短くなることがある。したがってこれに対応する露光は与えず、そのまま現像部へ送り、現像は行うが、像は得られないので顧客にわたることはない。」の部分参照。）からみて、長尺の感光材料の後端部が検出された時点で、感光材料の使用可能な残り長さが指定されたサイズより短い場合には、露光を与えないことが記載されていると認められる。
  そして、引用発明１においても、刊行物２記載のものと同様に、指定されたサイズと感光材料の使用可能な残り長さに基づいてその後の処置を定めていることから、引用発明１において露光の継続が選択されない場合は、刊行物２のように感光材料に露光を与えない、すなわち未露光状態とすることは当業者であれば容易に想到できることである。
　また、上記５（１）（ｂ−２）で述べたように、感光材料の使用可能な残り長さが所定値以下となった場合にマガジンを交換することは当然のことであるから、刊行物１記載の発明において、露光の継続が選択されず、感光材料を未露光状態とした場合に、マガジンを交換することは、当業者であれば必要に応じて適宜なしえる事項である。
　
（ｃ）また、本件発明１の効果も刊行物１及び２から予測される程度のものにすぎない。
　
（ｄ）したがって、本件発明１は、刊行物１及び２に記載された発明に基づいて当業者が容易に発明をすることができたものと認められる。
　
（ｅ）なお、特許権者は、平成１５年２月１０日に提出された特許異議意見書において、本件発明１は「露光され、現像処理された感材に半端サイズの未露光部分が残ることはない」（第３頁第１８〜１９行）及び「全て自動で行われるのでオペレータの負担は大幅に軽減される。」（第３頁第２７行、）旨主張するが、引用発明１においても、小サイズの原稿に差し替えることはロール感材のロスを防止するためであり、小サイズの原稿に差し替えることなく本件発明１のようにすることは、上述のとおり当業者にとって容易である。
　
（２）本件発明２について
　
（ａ）本件発明２は、本件発明１の構成を、「前記露光の中止が選択された場合に、前記引き出された感光材料を切断した後にマガジンを交換すること」とさらに限定したものである。
　
（ｂ）他方、刊行物３の記載事項（３ｂ）（特に、「ステップＳ３において、センサ４によりエンドマーク３（本件発明２の「後端近傍」に相当する。）が検出された場合は、下記のような２つの動作が行われる。・・・第２の場合、即ち（ｃ）の状態ではＸ＞Ｗになり、この場合は長さＡ分を巻戻してからカッタ６により感光材料１を切断する。・・・なお、ステップＳ１４の場合であっても、画像形成に必要なサイズ（本件発明２の「指定されたサイズ」に相当する。）が採れる場合は、カットした感光材料１について通常の画像形成が行われるる。」の部分参照。）からみて、感光材料の後端近傍を検出した後、感光材料を切断するが、指定されたサイズが採れない場合には画像形成を行わないものと認められる。
　そして、引用発明１においても、刊行物３記載のものと同様に、指定されたサイズと感光材料の使用可能な残り長さに基づいてその後の処置を定めていることから、引用発明１において露光の継続が選択されない場合は、刊行物３のように感光材料を切断することは当業者であれば容易に想到できることである。
　
（ｃ）また、本件発明２の効果も刊行物１〜３から予測される程度のものにすぎない。
　
（ｄ）したがって、本件発明２は、刊行物１〜３に記載された発明に基づいて当業者が容易に発明をすることができたものと認められる。
　
（３）本件発明３について
　
（ａ）本件発明３は、本件発明１の構成を、「前記露光の中止が選択された場合に、前記引き出された感光材料ごとマガジンを交換すること」とさらに限定したものである。
　
（ｂ）刊行物１の記載事項（１ａ）（特に、「従来、ロール感材Ｒ（本件発明３の「長尺の感光材料」に相当する。）の後端を検知した後は、該ロール感材Ｒの最終切断先端から前記後端までの材料長を知り得なかったため、（ａ）ロール感材Ｒの搬送を停止して収納マガジン（本件発明３の「マガジン」に相当する。）側から該ロール感材Ｒの残量を抜き取る（ロール感材Ｒの最終残量が短く、マガジン側より引き出し可能な場合）。」の部分参照。）及び刊行物２の記載事項（２ａ）（特に、「印画紙（本件発明３の「感光材料」に相当する。）後端部をセンサーで検出して、印画紙の送り出しを終了させ、新しい長巻印画紙スクロール（本件発明３の「長尺の感光材料」に相当する。）を装填し直して再起動させている。・・・このような印画紙スクロールの端末部の検出手段では、正常にまだ充分に使用可能の何枚分かの高価な印画紙が必然的に空しく廃棄されてしまうことになる。」の部分参照。）にあるように、感光材料の使用可能な残り長さが所定値以下となった場合に当該感光材料を交換することは当然のことであり、当該感光材料がマガジンに収納されているものであれば、マガジンごと交換することは当業者にとって自明である。
  また、本件発明１と引用発明１の相違点（５（１）（ｂ−１））でも記載したように、感光材料の後端近傍を検出することは周知の技術事項であり、この周知技術を採用した場合には、当然、感光材料の後端がマガジン内に残されることになり、感光材料ごとマガジンを交換することが可能となる。
　よって、感光材料ごとマガジンを交換するという周知の技術事項を引用発明１に適用することは技術的に困難ということはできず、また、当該適用によって格別の効果を奏するものでもない。
　
（ｃ）また、本件発明３の効果も刊行物１及び２から予測される程度のものにすぎない。
　
（ｄ）したがって、本件発明３は、刊行物１及び２に記載された発明に基づいて当業者が容易に発明をすることができたものと認められる。
　
（４）本件発明４について
　
（ａ）本件発明４と引用発明３とを対比すると、刊行物３における「マガジン２」、「感光材料１」、「必要サイズ」、「露光部１６」、「エンドマーク３」、「センサ４」、「カッター６」、「表示」、「表示手段１５」、「制御回路１１」、「必要なサイズが採れる場合」、「必要なサイズが採れない場合」は、それぞれ本件発明４の「マガジン」、「長尺の感光材料」、「指定されたサイズ」、「露光位置」、「後端マーク」、「後端マーク検出センサ」、「カッタ」、「指示」、「告知手段」、「制御手段」、「指定されたサイズに対応する長さより長い場合」、「指定されたサイズに対応する長さより短い場合」に相当する。
　また、引用発明３における「センサ９」は感光材料１の一定サイズ分が有るか否かを検出するものであるが、本件発明４における「感光材料先端検出センサ」においても、発明の詳細な説明において「感光材料先端検出センサ１８２（１８４）により感光材料１４の先端が検出されている場合は（先端が先端検出センサ１８２（１８４）を通過している場合は）、次の露光のために指定されている指定長さＳによって、露光可能か否かが選択されることになる。」（本願明細書の段落００４５）と記載されており、感光材料先端検出センサが配設される場所での感光材料の有無を検出するものであることから、引用発明３における「センサ９」は本件発明４における「感光材料先端検出センサ」に相当する。
　さらに、引用発明３は、センサ４で感光材料１に設けられたエンドマーク３を検出した時点で、センサ９によって感光材料１を検出した場合には、感光材料を切断し、エンド表示を行うが、画像形成に必要なサイズが採れる場合には露光を行うものであるところ、感光材料１の残量を考慮すると２回以上の画像形成は不可能であることから、当然に１回の露光しか行うことができないものである。
　したがって、両者は、
「マガジンに収納された長尺の感光材料を引き出し、指定されたサイズに応じて切断して、露光位置へ搬送し露光するための感光材料搬送装置であって、マガジンから引き出された直後の位置で予め感光材料に設けられた後端マークを検出する後端マーク検出センサと、前記後端マーク検出センサから所定長さだけ下流側に配設され前記感光材料を切断するカッタと、前記カッタから所定長さだけ下流側に配設され引き出された感光材料の有無を検出する感光材料先端検出センサと、下記（イ）、（ロ）、（ハ）の何れかの指示を告知手段により指示する制御回路１１と、を有する感光材料搬送装置。
（イ）前記後端マーク検出センサで感光材料に設けられた後端マークを検出した時点で、前記感光材料先端検出センサによって感光材料を検出していない場合には、引き出された感光材料ごと、或いは残りの感光材料を全て引き出してから、指示を行う。
（ロ）前記後端マーク検出センサで感光材料に設けられた後端マークを検出した時点で、前記感光材料先端検出センサによって感光材料を検出しており、かつ感光材料が指定されたサイズに対応する長さより長い場合には感光材料を切断して１回露光した後、指示を行う。
（ハ）前記後端マーク検出センサで感光材料に設けられた後端マークを検出した時点で、前記感光材料先端検出センサによって感光材料を検出しており、かつ感光材料が指定されたサイズに対応する長さより短い場合には感光材料を切断し、指示を行う。」
点で一致しており、以下の点で奏する。
　
（ａ−１）相違点１
　本件発明４が、感光材料先端検出センサで感光材料の先端が検出されてからの搬送長を計測する搬送長計測手段を有しているのに対し、引用発明３においては有していない点。
　
（ａ−２）相違点２
　後端マーク検出センサで感光材料に設けられた後端マークを検出した時点で、感光材料先端検出センサによって感光材料を検出していない場合には、残りの感光材料を全て引き出した後、本件発明４では、露光位置へ搬送するのに対して、引用発明３では、そのようにしていない点。また、後端マーク検出センサで感光材料に設けられた後端マークを検出した時点で、感光材料先端検出センサによって感光材料を検出しており、かつ感光材料が指定されたサイズに対応する長さより短い場合には、感光材料を切断した後、本件発明４では、露光位置へ搬送するのに対して、引用発明３では、そのようにしていない点。
　
（ａ−３）相違点３
　後端マーク検出センサで感光材料に設けられた後端マークを検出した時点で、感光材料先端検出センサによって感光材料を検出しており、かつ感光材料が指定されたサイズに対応する長さより長い場合に感光材料を切断する場合、本件発明４では、指定された長さで感光材料を切断するのに対し、引用発明３では、そのようにしていない点。
　
（ａ−４）相違点４
　後端マーク検出センサで感光材料に設けられた後端マークを検出した時点で、感光材料先端検出センサによって感光材料を検出しており、かつ感光材料が指定されたサイズに対応する長さより短い場合に感光材料を切断する場合、本件発明４では、感光材料後端を検出した時点で切断するのに対し、引用発明３では、一旦、巻き戻してから切断する点。
　
（ａ−５）相違点５
　本件発明４では、マガジンの交換を指示するのに対し、引用発明３においてはエンドを指示する点。
　
（ｂ）上記相違点について以下に検討する。
　
（ｂ−１）相違点１について
　刊行物３の記載事項（３ａ）（特に、「ステップＳ１に示すように、画像形成の要求（スタート）があると、感光材料１のサイズ算出が行われ、ステップＳ２に示すように必要分について感光材料１の引き出しが行われる。この時点でセンサ４によりエンドマーク３が検出されない場合は、ステップＳ４に示すように必要サイズの引き出し完了になり、カッタ６により感光材料１のカットが行われる。」の部分参照。）によれば、引用発明３においても、引き出された感光材料の長さを計測している。
　また、刊行物１の記載事項（１ｃ）（特に、「上記ロール感材Ｒ（本件発明４の「長尺の感光材料」に相当する。）は、収納マガジン７（本件発明４の「マガジン」に相当する。）から搬送ローラ対１０ａによって引き出され、この搬送ローラ対１０ａに連動回転するエンコーダ８によってその材料長（本件発明４の「搬送長」に相当する。）が計測され、メイン制御部よりの指令で搬送を停止した後、カッタ１１により切断されてシート状とされたる。」の部分参照。）からみて、感光材料の搬送長を計測する手段が記載されていると認められ、周知の技術事項である。
　そして、感光材料の搬送長を計測する起点をどこにするか、すなわち本件発明４のように、感光材料先端検出センサによる感光材料の先端検出を起点とするか、あるいは刊行物１のように、感光材料の搬送開始を起点とするかは、当業者が必要に応じて適宜選択し得る事項にすぎない。
　このような周知の技術事項を引用発明３に適用することが技術的に困難であるとも認められず、また、当該適用によって格別の効果を奏するものでもない。
　
（ｂ−２）相違点２について
　刊行物１の記載事項（１ａ）（特に、「（ｃ）ロール感材Ｒ（本件発明４の「長尺の感光材料」に相当する。）が複数の搬送ローラに挟持されていてマガジン側から引き出せないときは、強制的に撮影台（本件発明４の「露光位置」に相当する。）まで搬送させ、本体側板を取り外して該撮影台上からロール感材Ｒを取り除く。」の部分参照。）からみて、感光材料を取り出すために、露光位置へ搬送させることは周知の技術事項である。よって、全て引き出された感光材料又は切断された感光材料を露光位置へ搬送するよう構成することは、当業者であれば必要に応じてなし得ることにすぎない。
　
（ｂ−３）相違点３について
　指定されたサイズに対応する長さより長い感光材料に露光する場合において、当該感光材料を指定されたサイズに対応する長さに切断することは当然のことにすぎない。そして、後端マーク検出センサで感光材料に設けられた後端マークを検出した時点で、前記感光材料先端検出センサによって感光材料を検出しており、かつ感光材料が指定されたサイズに対応する長さより長い場合において、同様に対処することが技術的に困難であるとも認められず、また、当該適用によって格別の効果を奏するものでもないことから、当該相違点は当業者であれば容易に想い到る程度のことである。
　
（ｂ−４）相違点４について
　感光材料が指定されたサイズに対応する長さより短い場合に感光材料を切断する場合において、感光材料後端を検出した時点で切断することに格別の意義はなく、当業者が必要に応じて適宜選択し得る事項にすぎない。
　
（ｂ−５）相違点５について
  エンド表示は、感光材料の残量が露光の継続に必要な量に満たないことを示すものであり、当業者であれば、当該エンド表示によってマガジンを交換しなければならないと認識するものである。よって、エンド表示は、実質的にマガジンの交換を指示するものであり、両者の間に実質的な差異はない。
　
（ｃ）また、本件発明４の効果も刊行物３及び１から予測される程度のものにすぎない。
　
（ｄ）したがって、本件発明４は、刊行物３及び１に記載された発明に基づいて当業者が容易に発明をすることができたものと認められる。
　
（ｅ）なお、特許権者は、平成１５年２月１０日に提出された特許異議意見書において、刊行物３に記載された発明は「エンドマークは少なくともマガジンの装填操作を行う際にユーザーが目視可能な態様であることが必須条件」（第４頁第２４行〜２５行）である旨主張する。しかしながら、刊行物３に記載された発明が、エンドマークが目視可能な態様であることによって、刊行物１に記載された発明と組み合わせることが技術的に困難となるものでもない。したがって、特許権者の当該主張を採用しない。
　
６．むすび
　以上のとおりであるから、本件発明１及び３は刊行物１及び２に記載された発明に基づき容易に発明をすることができたものであり、本件発明２は刊行物１〜３に記載された発明に基づき容易に発明をすることができたものであり、本件発明４は刊行物１及び３に記載された発明に基づき容易に発明をすることができたものであり、本件発明１〜４の特許は、特許法第２９条第２項の規定に違反してされたものであるから、同法第１１３条第２号に該当し、取り消されるべきものである。
　よって、結論のとおり決定する。
【異議決定日】
平成１５年４月２５日（２００３．４．２５）